(57)【特許請求の範囲】
【請求項１】
第一部材と第二部材とを開閉回動自在に枢着するヒンジ装置であって、第一部材，第二部材のいずれか一方に対して回り止め状態に軸部を設け、他方に対して回り止め状態にこの軸部を軸受けする軸受部を設け、この軸受部の内周面の四箇所に、一部が切欠されることで縮径し得るリング状部材の両端部をスライドせしめるガイド部を放射状に設け、このガイド部にリング状部材の各端部をスライドさせ複数のリング状部材を前記軸受部に並設して前記軸部に対して圧接状態で被嵌することで、軸部と軸受部との相対回動に際して接触抵抗が生じるように構成し、この接触抵抗力をリング状部材の数を変えることで可変可能に構成したことを特徴とするヒンジ装置。
【請求項２】
前記軸受部に複数のリング状部材を並設した際、隣接するリング状部材同志間にして前記軸部に接触する内側部位にグリスだまりとなる凹部が形成されるように構成したことを特徴とする請求項１記載のヒンジ装置。
【請求項３】
前記リング状部材として適宜な金属製のリング状部材を採用したことを特徴とする請求項１，２のいずれか１項に記載のヒンジ装置。
【請求項４】
前記請求項１〜３のいずれか１項に記載のヒンジ装置を枢着部に設けたことを特徴とするヒンジ装置を用いた電子機器。
【発明の詳細な説明】
【０００１】
【発明の属する技術分野】
本発明は、ヒンジ装置並びにヒンジ装置を用いた電子機器に関するものである。
【０００２】
【従来の技術及び発明が解決しようとする課題】
従来から、折り畳みタイプの電子機器、例えばノート型パソコンや携帯式電話などの本体部と、ディスプレイ部とで構成される電子機器において、この本体部とディスプレイ部とを開閉回動自在に枢着するためのヒンジ装置が種々提案されている。
【０００３】
本出願人は、このヒンジ装置について更なる研究開発を進め、極めて商品価値の高い画期的なヒンジ装置並びにヒンジ装置を用いた電子機器を開発した。
【０００４】
【課題を解決するための手段】
添付図面を参照して本発明の要旨を説明する。
【０００５】
第一部材１と第二部材２とを開閉回動自在に枢着するヒンジ装置であって、第一部材１，第二部材２のいずれか一方に対して回り止め状態に軸部３を設け、他方に対して回り止め状態にこの軸部３を軸受けする軸受部４を設け、この軸受部４の内周面の四箇所に、一部が切欠されることで縮径し得るリング状部材５の両端部をスライドせしめるガイド部12を放射状に設け、このガイド部12にリング状部材５の各端部をスライドさせ複数のリング状部材５を前記軸受部４に並設して前記軸部３に対して圧接状態で被嵌することで、軸部３と軸受部４との相対回動に際して接触抵抗が生じるように構成し、この接触抵抗力をリング状部材５の数を変えることで可変可能に構成したことを特徴とするヒンジ装置に係るものである。
【０００６】
また、前記軸受部４に複数のリング状部材５を並設した際、隣接するリング状部材５同志間にして前記軸部３に接触する内側部位にグリスだまりとなる凹部10が形成されるように構成したことを特徴とする請求項１記載のヒンジ装置に係るものである。
【０００７】
また、前記リング状部材５として適宜な金属製のリング状部材５を採用したことを特徴とする請求項１，２のいずれか１項に記載のヒンジ装置に係るものである。
【０００８】
また、前記請求項１〜３のいずれか１項に記載のヒンジ装置を枢着部に設けたことを特徴とするヒンジ装置を用いた電子機器に係るものである。
【０００９】
【発明の実施の形態】
好適と考える本発明の実施の形態（発明をどのように実施するか）を、図面に基づいてその作用効果を示して簡単に説明する。
【００１０】
本発明は、軸部３と軸受部４との相対回動に際して所定の接触抵抗が生じることになる。
【００１１】
この接触抵抗は、軸受部４に設けられ、軸部３に被嵌される複数のリング状部材５における当該軸部３に対する圧接により生じており、このリング状部材５の数を変えることで接触抵抗力は可変可能である。
【００１２】
従って、第一部材１，第二部材２に設けられる軸部３，軸受部４の相対回動に際して所定の接触抵抗が生じるから、この接触抵抗力を、例えば第一部材１と第二部材２とを所望の開放角度で保持するように構成したり、急激に閉じ回動するのを防止するように構成することができ、しかも、この接触抵抗力の調整が簡易且つ確実に行われることになる。
【００１３】
また、例えばリング状部材５として一部が切欠されることで縮径し得るリング状部材５を採用し、このリング状部材５を軸受部４に設けた際、該リング状部材５が軸部３に対して圧接状態で被嵌し得るように軸受部４を構成した場合には、単にリング状部材５を軸受部４に設けるだけで良好な接触抵抗が得られることになる。
【００１４】
また、例えば軸部３に被嵌して軸受けする軸受部４にリング状部材５をスライドせしめるガイド部12を設けて、このガイド部12にスライドさせることで複数のリング状部材５を並設し得るように軸受部４を構成した場合には、このリング状部材５の軸受部４への並設が何ら複雑な構造ではなく、リング状部材５を順次軸受部４に設けることができる。
【００１５】
また、例えば軸受部４に複数のリング状部材５を並設した際、隣接するリング状部材５同志間にして前記軸部３に接触する内側部位にグリスだまりとなる凹部10が形成されるように構成した場合には、軸部３と軸受部４との相対回動に際して生じる接触抵抗力の調整が、リング状部材５の数を変えることで達成されることに加え、更に、グリスによっても調整できることになる。
【００１６】
【実施例】
本発明の具体的な実施例について図面に基づいて説明する。
【００１７】
本実施例は、図面に示すようにノート型パソコンに適用したもので、本体部を第一部材１とし、ディスプレイ部を第二部材２とし、本体部１とディスプレイ部２とが重合した閉塞状態からディスプレイ部２を例えば１２０度まで回動した開放状態（使用状態）とすることができる枢着構造に本発明のヒンジ装置Ａを適用している。
【００１８】
本実施例では、本体部１の基部に取付孔を設け、ディスプレイ部２の基部にもこれと連通状態に隣接する取付孔を設け、この取付孔夫々に軸状パーツとして構成した本発明のヒンジ装置Ａを挿着する構成としている。
【００１９】
ディスプレイ部２には、前記取付孔を介して回り止め形状とした第一取付体７を固定し、この第一取付体７の一端側に連設される第二取付体８を前記取付孔を介して本体部１に固定している。
【００２０】
第一取付体７は、図３に図示したように適宜な金属製の部材をケース状に形成したものであり、後述する第二取付体８に係る軸部３を挿着し得る孔から成る軸受部４が設けられている。
【００２１】
この軸受部４は、所定径を有し、その内部に複数のリング状部材５を並設し得るように構成されている。
【００２２】
具体的には、軸受部４は、その内周面の四箇所に凹溝12が放射状に形成されており、この各凹溝12は、リング状部材５を軸受部４に装着する際、リング状部材５をスライドさせるためのガイド部となる。
【００２３】
各凹溝12は、第一取付体７の一端部に開口しており、この開口部からリング状部材５の端部５ａ，５ｂをスライドさせて軸受部４内に装着し得るように構成されている。
【００２４】
従って、第一取付体７の一端側からこのガイド部12を介して複数のリング状部材５を順次スライドさせることで該リング状部材５を軸受部４に並設し得ることになる。
【００２５】
リング状部材５は、図３に図示したように適宜な金属製の断面円形状の線材（ピアノ線）をリング状（Ｃ字状）に形成したものであり、一部が切欠されていることで適度な弾性を有して縮径し得るように構成されている。
【００２６】
また、この切欠部を構成するリング状部材５の両端部は外方へ屈曲する屈曲部５ａ，５ｂが形成されており、この各屈曲部５ａ，５ｂを軸受部４に係るガイド部12に係止することでリング状部材５を軸受部４に係止状態で装着し得ることになる。
【００２７】
このリング状部材５は、軸受部４に軸部３を嵌挿させた際、軸部３に対して圧接状態で被嵌し得るように構成されており、この軸部３に対するリング状部材５の圧接が軸部３と軸受部４との相対回動に際して所定の接触抵抗を生じせしめる。
【００２８】
また、軸受部４に複数のリング状部材５を並設した際、隣接するリング状部材５同志間にして前記軸部３に接触する内側部位にグリスだまりとなる凹部10が形成されるように構成されている（図８参照）。
【００２９】
また、リング状部材５は、予め軸受部４に並設状態に装着し、この状態で軸受部４に軸部３を嵌挿させることでリング状部材５を軸部３に被嵌させるようにしても良いし、或いは、予め軸部３に被嵌し、この状態で軸部３を軸受部４に嵌挿させるようにしても良い。
【００３０】
第二取付体８は、図３に図示したように適宜な金属製の部材で形成したものであり、ディスプレイ部２に係る取付孔に嵌合する断面方形状の取付部８ａに軸部３を突設状態に設けて構成されている。
【００３１】
この軸部３は、所定径を有する円柱状に形成して構成され、前述した軸受部４に回動自在に貫通状態に配され、その先端部にスナップリング９を止着することで第一取付体７に対して軸回動自在に抜け止め状態に連結されている。
【００３２】
また、軸部３は、軸受部４に連結した際、リング状部材５に被嵌されることになり、この軸３と軸受部４との相対回動に際してリング状部材５の内面との間に所定の接触抵抗が生じるように構成されている。この接触抵抗力は、リング状部材５の本数を変えることで可変可能である（図４，５参照）。
【００３３】
尚、軸部３，軸受部４及びリング状部材５は本実施例で述べた素材に限られるものではなく、本実施例の特性を発揮するものであれば適宜採用するものである。符号11はスペーサーである。
【００３４】
本実施例は上述のように構成したから、軸部３と軸受部４との相対回動に際して所定の接触抵抗が生じることになる。
【００３５】
この接触抵抗は、軸受部４に着脱自在に設けられ、軸部３に被嵌される複数のリング状部材５における当該軸部３に対する圧接により生じており、このリング状部材５の数を変えることで接触抵抗力は可変可能である。
【００３６】
よって、本実施例によれば、本体部１，ディスプレイ部２に設けられる軸部３，軸受部４の相対回動に際して所定の接触抵抗が生じるから、この接触抵抗力を、例えば本体部１に対してディスプレイ部２を所望の開放角度で保持するように構成したり、急激に閉じ回動するのを防止するように構成することができ、しかも、この接触抵抗力の調整がリング状部材５の本数を増減するだけで簡易且つ確実に行われることになり、そして、簡易構造故にコスト安にして量産性に秀れることになる。
【００３７】
また、本実施例は、リング状部材５として一部が切欠されることで縮径し得るリング状部材５を採用し、このリング状部材５を前記軸受部４に設けた際、該リング状部材５が前記軸部３に対して圧接状態で被嵌し得るように前記軸受部４を構成したから、単に軸受部４にリング状部材５をセットするだけで良好な接触抵抗が簡易且つ確実に得られることになる。
【００３８】
また、本実施例は、軸部３に被嵌して軸受けする軸受部４にリング状部材５をスライドせしめるガイド部12を設けて、このガイド部12にスライドさせることで複数のリング状部材５を並設し得るように軸受部４を構成したから、第一取付体７の一端側からリング状部材５を充填するようにして、軸受部４に複数のリング状部材５を簡易に並設することができる。
【００３９】
また、本実施例は、軸受部４に複数のリング状部材５を並設した際、隣接するリング状部材５同志間にして前記軸部３に接触する内側部位にグリスだまりとなる凹部10が形成されるように構成したから、軸部３と軸受部４（リング状部材５）との素材の接触抵抗だけでなく、潤滑するものの塗布により、より一層良好な接触抵抗が簡易且つ確実に得られることになり、しかも、このグリスだまりを設けることでグリス切れを可及的に防止し得ることになる。
【００４０】
尚、本発明は、本実施例に限られるものではなく、各構成要件の具体的構成は適宜設計し得るものである。
【００４１】
【発明の効果】
本発明は上述のように構成したから、軸部と軸受部との相対回動の際に生じる接触抵抗力の調整が簡易且つ確実に行え、しかも、簡易構造故にコスト安にして量産性に秀れることになるなど極めて商品価値の高い画期的なヒンジ装置となる。
【００４２】
また、本発明においては、軸受部に複数のリング状部材を簡易に並設することができる。
【００４３】
また、請求項４記載の発明においては、極めて商品価値の高い画期的なヒンジ装置を用いた電子機器となる。
【図面の簡単な説明】
【図１】  本実施例の使用状態説明図である。
【図２】  本実施例を示す斜視図である。
【図３】  本実施例の分解斜視図である。
【図４】  本実施例に係る要部を示す斜視図である。
【図５】  本実施例に係る要部を示す斜視図である。
【図６】  本実施例に係る要部を示す断面図である。
【図７】  本実施例に係る要部を示す断面図である。
【図８】  本実施例に係る要部を示す断面図である。
【符号の説明】
１  第一部材
２  第二部材
３  軸部
４  軸受部
５  リング状部材
10 凹部
12 ガイド部
【図１】
0003774409.tif 000002
【図２】
0003774409.tif 000003
【図３】
0003774409.tif 000004
【図４】
0003774409.tif 000005
【図５】
0003774409.tif 000006
【図６】
0003774409.tif 000007
【図７】
0003774409.tif 000008
【図８】
0003774409.tif 000009